(57)【要約】【課題】アイコンの操作性を簡略化しかつ視認性を向上すること。【解決手段】この表示装置１は、操作部または表示部３に表示されたアイコン９などによって当該アイコン９などと対応付けられた機能を実現する。そして、操作部または表示部３に接触体が接触することを検知する検知部と、検知部からの検知信号により接触体の接触位置を識別し、アイコン９などの選択を認識する制御部と、アイコン９などの位置およびアイコン９などについての各種関連情報が記憶されている記憶部とを有し、制御部は、接触体の接触によってアイコン９などの選択を認識した後、表示部３が接触されたアイコン９などに関連した拡大アイコン１２を表示すると共にアイコン９などの有する所定の機能の他に他の機能（左右上下移動など）を実現可能とする表示（移動線１４−１，２など）を併せて行うように制御し、アイコン９などの所定の機能に加え、アイコン９などの他の機能も実行できるように制御する。【選択図】図３
2009276833.tif 000002
【特許請求の範囲】
【請求項１】
操作部または表示部に表示されたアイコンによって当該アイコンと対応付けられた機能を実現する表示装置において、
上記操作部または上記表示部に接触体が接触することを検知する検知部と、上記検知部からの検知信号により上記接触体の接触位置を識別し、上記アイコンの選択を認識する制御部と、
上記アイコンの位置および上記アイコンについての各種関連情報が記憶されている記憶部とを有し、
上記制御部は、上記接触体の接触によって上記アイコンの選択を認識した後、上記表示部が接触された上記アイコンに関連した拡大アイコンを表示すると共に上記アイコンの有する所定の機能の他に他の機能を実現可能とする表示を併せて行うように制御し、かつ上記アイコンの所定の機能に加え上記アイコンの他の機能も実行できるように制御することを特徴とする表示装置。
【請求項２】
前記アイコンの移動および／または前記接触体が前記アイコンに接触している時間によって前記アイコンに関する前記各種関連情報を上記表示部に表示するように制御することを特徴とする請求項１記載の表示装置。
【請求項３】
操作部または表示部に表示された複数のボタンによって操作し、コンテンツを再生する表示装置において、
上記操作部または上記表示部に接触体が接触することを検知する検知部と、
上記検知部からの検知信号により上記接触体の接触位置を識別し、上記複数のコンテンツ再生ボタンにおける１のボタンの選択を認識する制御部と、
上記複数のボタンの位置およびコンテンツについての各種関連情報が記憶されている記憶部と、
上記制御部からの指示に基づきコンテンツを再生するコンテンツ再生手段とを有し、
上記制御部は、上記接触体が接触した上記ボタンを認識した後、そのボタンに関連した拡大ボタンを上記表示部に表示すると共に上記ボタンが有する所定の機能の他に他の機能を可能とする表示を併せて行うように制御し、かつ上記ボタンの所定の機能に加え上記ボタンの他の機能も実行できるように制御することを特徴とする表示装置。
【請求項４】
前記ボタンの移動および／または前記接触体が前記ボタンに接触する時間によって楽曲についての前記各種関連情報を前記表示部に表示するように制御することを特徴とする請求項３記載の表示装置。
【請求項５】
前記コンテンツを楽曲とし、前記接触されたボタンを楽曲再生ボタンとし、前記拡大ボタンを拡大楽曲再生ボタンとし、上記楽曲についての各種関連情報には曲名リストが含まれ、前記制御部は、上記拡大楽曲再生ボタンを上下に移動することによって上記楽曲再生拡大ボタンとともに上記曲名リストが前記表示部に表示されるよう制御し、上記楽曲再生拡大ボタンを上下に移動したまま一定時間、前記接触体が上記楽曲再生拡大ボタンに接触していると曲名リスト内の曲名が移動しかつ適宜に曲名が選択されるよう制御し、かつ前記制御部は、前記接触体が上記拡大楽曲再生ボタンから離れると前記コンテンツ再生手段が楽曲を再生するよう制御することを特徴とする請求項３または４記載の表示装置。  
【請求項６】
前記コンテンツを楽曲とし、前記接触されたボタンを楽曲再生ボタンとし、前記拡大ボタンを拡大楽曲再生ボタンとし、上記楽曲についての各種関連情報には１つの曲の現在位置情報が含まれ、前記制御部は、上記拡大楽曲再生ボタンを左右に移動することによって上記拡大楽曲再生ボタンとともに１つの曲の現在位置が前記表示部に表示されるよう制御し、上記拡大楽曲再生ボタンを左右に移動したまま一定時間前記接触体が上記拡大楽曲再生ボタンに接触した場合、前記コンテンツ再生手段に前記１つの曲の早送りまたは早戻しがおこなわれるよう制御することを特徴とする請求項３または４記載の表示装置。
【請求項７】
前記コンテンツを楽曲とし、前記接触されたボタンを楽曲早送りボタンとし、上記楽曲についての各種関連情報には、１つの曲の早送りの速度情報が含まれ、前記表示部には、上記楽曲早送りボタンが表示され、前記制御部は、前記接触体が上記楽曲早送りボタンに接触した場合、早送りの速度ゲージが前記表示部に表示されるよう制御し、上記楽曲早送りボタンを左右に移動することによって上記早送りの速度を変化するよう制御することを特徴とする請求項３または４記載の表示装置。
【請求項８】
表示部に表示された第１アイコンおよび第２アイコンによって当該第１および第２アイコンに対応付けられた機能を実現する表示装置において、
上記表示部に接触体が接触することを検知する検知部と、
上記検知部からの検知信号により接触体の接触位置を識別し、上記第１アイコンおよび上記第２アイコンの選択を認識する制御部と、
上記第１アイコン、上記第２アイコンの位置および上記第２アイコンについての各種関連情報が記憶されている記憶部とを有し、
上記制御部は、上記第１アイコンの選択を認識した後、上記表示部が上記第１アイコンに関連した第１拡大アイコンを表示するように制御し、上記第２アイコンに上記接触体が接触し上記第２アイコンを第１拡大アイコンへドラッグアンドドロップすることによって上記第１拡大アイコンが上記第１アイコンに関連した第２拡大アイコンに変化するよう制御することを特徴とする表示装置。
【請求項９】
前記第１アイコンの移動および／または前記接触体が前記第１アイコンに接触している時間によって前記第２アイコンに関する前記各種関連情報を前記表示部に表示するように制御することを特徴とする請求項８記載の表示装置。
【請求項１０】
前記第１アイコンは前後左右に移動するスライドアイコンであり、前記第２アイコンは前記表示部に表示され、当該表示部の各種操作をおこなう機能アイコンであり、前記第２アイコンに関する前記各種関連情報は、上記機能アイコンに関する機能関連情報であることを特徴とする請求項８または９記載の表示装置。
【請求項１１】
前記機能アイコンは、前記表示部に表示された地図上に表示され、地図画面の各種操作をおこなう地図アイコンであり、前記機能関連情報は、上記地図アイコンに関連する地図情報であることを特徴とする請求項１０記載の表示装置。
【請求項１２】
前記機能アイコンは、前記表示部に表示され、携帯電話の発呼操作のための電話アイコンであり、前記機能関連情報は、上記電話アイコンに関連する電話情報であることを特徴とする請求項１０記載の表示装置。
【請求項１３】
操作部または表示部に表示されたアイコンによって当該アイコンと対応付けられた機能を実現する表示方法において、
上記操作部または上記表示部に接触体が接触することを検知し、
検知信号により上記接触体の接触位置を識別し、上記アイコンの選択を認識し、
上記アイコンに関連した拡大アイコンを上記表示部に表示すると共に、上記アイコンの有する所定の機能の他に他の機能を実現可能とする表示を併せて行うことを特徴とする表示方法。
【請求項１４】
表示部に表示された第１アイコンおよび第２アイコンによって当該第１および第２アイコンに対応付けられた機能を実現する表示方法において、
上記表示部に接触体が接触することを検知し、
検知信号により上記表示部における上記接触体の接触位置を識別し、接触位置に基づき上記第１アイコンの選択を認識し、
上記第１アイコンに関連した第１拡大アイコンを上記表示部に表示し、
上記表示部に上記接触体が接触することを検知し、
検知信号により上記表示部における上記接触体の接触位置を識別し、接触位置に基づき上記第２アイコンの選択を認識し、
上記第２アイコンを上記第１拡大アイコンへドラッグアンドドロップすると上記第１拡大アイコンは、上記第２アイコンに関連した第２拡大アイコンに変換されて上記表示部に表示すると共に、上記第１アイコンの有する所定の機能の他に他の機能を実現可能とする表示を併せて行うことを特徴とする表示方法。
【請求項１５】
前記第１アイコンは前後左右に移動するスライドアイコンであり、前記第２アイコンは前記表示部に表示され、その表示部の各種操作をおこなう機能アイコンであり、上記機能アイコンに関する各種関連情報が前記表示部に表示されることを特徴とする請求項１４記載の表示方法。
【発明の詳細な説明】
【技術分野】
【０００１】
本発明は、表示装置および表示方法に関する。
【背景技術】
【０００２】
近年、各業界において、端末用の表示装置が広く利用されている。また、表示装置を操作する為にキーボード等の入力手段を用いる代わりに、表示画面上へ直接的にデータや操作指示などを入力するタッチ機能をもたせた表示装置が使用されるようになっている。このタッチ機能を備えた表示装置では、その表示画面に直接、指先、ペンおよびその他で接触し、表示画面に表示されるメッセージ等に従って画面上で入力操作をおこなうことにより、各種の作業を実行する。  
【０００３】
このようなタッチパネルにおける入力作業の例として、特許文献１および２には、アイコンによるドラッグアンドドロップおよびその他の機能選択の方法が開示されている。特に、特許文献１の第１９図において、操作者は、アイコンに指先等をタッチさせドラッグ状態で当該アイコンを機能メニューに移動させて押し込むと、詳細な選択案内が表示され、さらに、タッチ操作によりその選択案内の中から操作者の好みの項目を選択することができる方法が開示されている。  
【０００４】
さらに、当該特許文献１の第２２図においては、タッチ操作によってポップアップメニュー内で任意のメニューオブジェクトから別のメニューオブジェクトへの選択と表示切り換えができる方法が開示されている。  
【０００５】
【特許文献１】特開２００４−０７０４２号公報（第１９図、第２２図）
【特許文献２】特開２００５−１９６８１０号公報（第１９図、第２２図）
【発明の開示】
【発明が解決しようとする課題】
【０００６】
しかしながら、従来のタッチパネルを備えた表示装置にあっては、アイコンにおけるドラッグアンドドロップ操作と他の機能選択または機能表示とは、それぞれ個別にタッチ操作をすることで実施しなくてはならず、また、指での接触と指で強く応圧し押し込むという２度の動作が必要であるため、操作性が容易でなく、視認性も劣るという問題点を有している。
【０００７】
そこで、本発明は、操作性を簡略化しかつ視認性を向上した表示装置または表示方法を提供することを目的とする。
【課題を解決するための手段】
【０００８】
本発明に係る表示装置は、操作部または表示部に表示されたアイコンによって当該アイコンと対応付けられた機能を実現する表示装置において、操作部または表示部に接触体が接触することを検知する検知部と、検知部からの検知信号により接触体の接触位置を識別し、上記アイコンの選択を認識する制御部と、アイコンの位置およびアイコンについての各種関連情報が記憶されている記憶部とを有し、制御部は、接触体の接触によってアイコンの選択を認識した後、表示部が接触されたアイコンに関連した拡大アイコンを表示すると共にアイコンの有する所定の機能の他に他の機能を実現可能とする表示を併せて行うように制御し、かつアイコンの所定の機能に加えアイコンの他の機能も実行できるように制御している。
【０００９】
本発明に係る表示装置において、アイコンの移動および／または接触体がアイコンに接触している時間によってアイコンに関する各種関連情報を表示部に表示するように制御するようにしてもよい。
【００１０】
本発明に係る他の表示装置は、操作部または表示部に表示された複数のボタンによって操作し、コンテンツを再生する表示装置において、操作部または表示部に接触体が接触することを検知する検知部と、検知部からの検知信号により接触体の接触位置を識別し、上記複数のコンテンツ再生ボタンにおける１のボタンの選択を認識する制御部と、複数のボタンの位置およびコンテンツについての各種関連情報が記憶されている記憶部と、制御部からの指示に基づきコンテンツを再生するコンテンツ再生手段とを有し、制御部は、接触体が接触したボタンの位置を認識した後、そのボタンに関連した拡大ボタンを表示部に表示すると共にボタンが有する所定の機能の他に他の機能を可能とする表示を併せて行うように制御し、かつボタンの所定の機能に加えボタンの他の機能も実行できるように制御している。
【００１１】
本発明に係る他の表示装置において、ボタンの移動および／または接触体がボタンに接触する時間によって楽曲についての各種関連情報を表示部に表示するように制御してもよい。
【００１２】
また、本発明に係る他の表示装置において、コンテンツを楽曲とし、接触されたボタンを楽曲再生ボタンとし、拡大ボタンを拡大楽曲再生ボタンとし、楽曲についての各種関連情報には曲名リストが含まれ、制御部は、拡大楽曲再生ボタンを上下に移動することによって楽曲再生拡大ボタンとともに曲名リストが表示部に表示されるよう制御し、楽曲再生拡大ボタンを上下に移動したまま一定時間、接触体が楽曲再生拡大ボタンに接触していると曲名リスト内の曲名が移動しかつ適宜に曲名が選択されるよう制御し、かつ制御部は、接触体が拡大楽曲再生ボタンから離れるとコンテンツ再生手段が楽曲を再生するようにしてもよい。
【００１３】
さらに、本発明に係る他の表示装置において、コンテンツを楽曲とし、接触されたボタンを楽曲再生ボタンとし、拡大ボタンを拡大楽曲再生ボタンとし、楽曲についての各種関連情報には１つの曲の現在位置情報が含まれ、制御部は、拡大楽曲再生ボタンを左右に移動することによって拡大楽曲再生ボタンとともに１つの曲の現在位置が表示部に表示されるよう制御し、拡大楽曲再生ボタンを左右に移動したまま一定時間、接触体が拡大楽曲再生ボタンに接触した場合、コンテンツ再生手段に上記１つの曲の早送りがおこなわれるよう制御するようにしてもよい。
【００１４】
または、本発明に係る他の表示装置において、コンテンツを楽曲とし、接触されたボタンを楽曲早送りボタンとし、楽曲についての各種関連情報には、１つの曲の早送りの速度情報が含まれ、表示部には、楽曲早送りボタンが表示され、制御部は、接触体が楽曲早送りボタンに接触した場合、早送りの速度ゲージが表示部に表示されるよう制御し、楽曲早送りボタンを左右に移動することによって早送りの速度を変化するよう制御するようにしてもよい
【００１５】
本発明に係るさらに他の表示装置は、表示部に表示された第１アイコンおよび第２アイコンによって当該第１アイコンおよび第２アイコンに対応付けられた機能を実現する表示装置において、表示部に接触体が接触することを検知する検知部と、検知部からの検知信号により接触体の接触位置を識別し、第１アイコンおよび第２アイコンの選択を認識する制御部と、第１アイコン、第２アイコンの位置および第２アイコンについての各種関連情報が記憶されている記憶部とを有し、制御部は、第１アイコンの選択を認識した後、表示部が第１アイコンに関連した第１拡大アイコンを表示するように制御し、第２アイコンに接触体が接触し第２アイコンを第１拡大アイコンへドラッグアンドドロップすることによって第１拡大アイコンが第１アイコンに関連した第２拡大アイコンに変化するよう制御している。
【００１６】
本発明に係る他の表示装置において、第１アイコンの移動および／または接触体が第１アイコンに接触している時間によって第２アイコンに関する各種関連情報を表示部に表示するようにしてもよい。
【００１７】
また、本発明に係る他の表示装置において、第１アイコンは前後左右に移動するスライドアイコンであり、第２アイコンは表示部に表示され、当該表示部の各種操作をおこなう機能アイコンであり、第２アイコンに関する各種関連情報は、機能アイコンに関する機能関連情報であるようにしてもよい。
【００１８】
さらに、機能アイコンは、表示部に表示された地図上に表示され、地図画面の各種操作をおこなう地図アイコンであり、機能関連情報は、地図アイコンに関連する地図情報としてもよい。
【００１９】
あるいは、機能アイコンは、表示部に表示され、携帯電話の発呼操作のための電話アイコンであり、機能関連情報は、電話アイコンに関連する電話情報としてもよい。
【００２０】
本発明に係る表示方法は、操作部または表示部に表示されたアイコンによって当該アイコンと対応付けられた機能を実現する表示方法において、操作部または表示部に接触体が接触することを検知し、検知信号により接触体の接触位置を識別し、アイコンの選択を認識し、アイコンに関連した拡大アイコンを表示部に表示すると共に、アイコンの有する所定の機能の他に他の機能を実現可能とする表示を併せて行っている。
【００２１】
本発明に係る他の表示方法は、表示部に表示された第１アイコンおよび第２アイコンによって当該第１アイコンおよび第２アイコンに対応付けられた機能を実現する表示方法において、表示部に接触体が接触することを検知し、検知信号により表示部における接触体の接触位置を識別し、接触位置に基づき第１アイコンの選択を認識し、第１アイコンに関連した第１拡大アイコンを表示部に表示し、表示部に接触体が接触することを検知し、検知信号により表示部における接触体の接触位置を識別し、接触位置に基づき第２アイコンの選択を認識し、第２アイコンを第１拡大アイコンへドラッグアンドドロップすると第１拡大アイコンは、第２アイコンに関連した第２拡大アイコンに変換されて表示部に表示されると共に、第１アイコンの有する所定の機能の他に他の機能を実現可能とする表示を併せて行っている。
【００２２】
本発明に係る他の表示方法において、第１アイコンは前後左右に移動するスライドアイコンであり、第２アイコンは表示部に表示され、表示部の各種操作をおこなう機能アイコンであり、機能アイコンに関する各種関連情報が表示部に表示されることとしてもよい。
【発明の効果】
【００２３】
本発明によれば、操作性を簡略化しかつ視認性を向上した表示装置または表示方法を提供することができる。
【発明を実施するための最良の形態】
【００２４】
以下、本発明の実施形態を図面に基づいて説明する。
【００２５】
（第１実施形態）
図１（Ａ）（Ｂ）は、本発明におけるタッチパネルを備えた表示装置の第１実施形態の外観を示す。図１（Ａ）は、表示装置１の平面図で、図１（Ｂ）は、図１（Ａ）の線Ａ−Ａ’で切った断面図である。表示装置１は、上層に配置された検知部に相当するタッチパネル２と、下層に配置された表示部３と、タッチパネル２と表示部３を支持する支持台４とを有する。タッチパネル２としては、圧力検出方式、抵抗膜方式、静電容量方式、超音波表面弾性波方式、音響パルス認識方式、電磁誘導方式、イメージセンサ認識方式、などがある。一方表示部３としては、液晶表示、プラズマ表示、２次元平面ＣＲＴ（Cathode Ray Tube）表示、ＥＬ（Electro-Luminescence）表示、２次平面レーザ照射表示、等が考えられる。
【００２６】
さらに、図２に示すように、タッチパネル２内は、マトリクス状にＸＹ方向に位置座標５が配置されている。この位置座標５の各点には、圧力検出方式を利用した場合は、タッチパネル２内に当該ＸＹ交点に配置された圧力センサが配置される。抵抗膜方式、静電容量方式では、タッチパネル２内に配置されたＸＹ方向の透明交差電極が配置される。超音波表面弾性波方式では、パネルを伝搬する表面弾性波を検出する受信用トランスデューサがパネル側面に配置される。本実施の形態では、タッチパネル２に接触する接触体は、指先やタッチペンなどである。もちらんそれ以外のものでもよい。
【００２７】
また、表示画面上の選択対象（オブジェクト）としてのアイコン６は、所定の面積をもってこれらの座標上の複数位置、例えば（xｎ,yｎ）(xｎ+１,yｎ+１)…. にまたがって表示部３内で表示されている。
【００２８】
操作者が表示部３のアイコン６に相当するタッチパネル２上の特定の場所に指やペンなどで触れることによって、その場所の押圧、電気抵抗、電気容量、弾性波のエネルギーなどが変化する。それら変化量を検出することによって、当該場所の位置検出とアイコンの拡大表示がされる。
【００２９】
図３（Ａ）（Ｂ）は、第1実施形態における楽曲再生ボタンをアイコンとして表示し、その操作内容を説明した図である。なお、以下の説明では、再生するコンテンツを楽曲として説明するが、コンテンツとしては、プロモーションビデオや映画などのように動画や音声などを含むものとしたり、複数の静止画を順次再生するものとしたりしてもよい。また、以下の説明では、動作などを分かりやすくするため、通常の操作部に対応する部分に表示されているものを「ボタン」とし、そのボタンが選択されて、拡大表示されたものを「アイコン」としている。しかし、「ボタン」としては、操作部に配置されるメカ式ボタンやタッチ式（接触式）ボタンなど実体を有するボタンと、表示画面にオブジェクトとして表示されるボタン（＝画像で形成されるボタン）の両者を含むものとする。また、「アイコン」としては、本来のアイコン（＝表示画面にオブジェクトとして表示されるもの）に加え、操作部に配置される操作用のボタンなど、各種の表示物を含むものとする。
【００３０】
まず図３（Ａ）において、表示部３は、ナビゲーションなどの地図を表示する主画面７と操作ボタンなどを表示する副画面８等から構成されている。さらに副画面８には、アイコンとして楽曲再生ボタン９、楽曲演奏停止ボタン１０、早送りボタン１１ａ、早戻しボタン１１ｂなどが表示されている。ここで、操作者が、楽曲再生ボタン９に指先等で触れると、図３（Ｂ）に示すように、楽曲再生ボタン９が拡大表示された第１拡大アイコン１２およびその内部に楽曲名コラム１３が画面中央に表示される。このとき、主画面７は、背景画面となり第１拡大アイコン１２に比べグレイアウトなど退色して表示されることで、第１拡大アイコン１２は、操作者に明瞭となる。さらに、この第１拡大アイコン１２上下左右には、アイコンの左右の移動線１４−１と上下の移動線１４−２がともに表示される。この移動線１４−１、１４−２は追加機能を示す表示となる。なお楽曲名コラム１３は表示されないようにしてもよい。
【００３１】
なお、第１拡大アイコン１２が再生と停止または再生と一時停止の２つの機能を持つように設定されている場合、第１拡大アイコンにはその２つの機能のいずれか１つが操作された状態を表すものとした拡大表示される。
【００３２】
次に、ボタン９〜１２や第１拡大アイコン１２などのアイコン操作を実施するためのシステム構成について図４を参照しながら説明する。このシステムは、タッチパネル２、表示部３、タッチパネル２および表示部３からの情報をもとにこれらに指示命令を出す制御部２１、タッチパネル２および表示部３に関する位置情報や機能情報を保有する記憶部２２、制御部２１からの命令によりコンテンツとなる楽曲を発生するコンテンツ再生手段としての楽曲再生回路２３などから構成されている。
【００３３】
記憶部２２には図２に示すようなＸＹ座標のどの位置にアイコンが存在するかのアイコン位置情報データ２６が保有されている。図２で説明したように表示部３上のアイコンは面積を持つから、複数の座標位置に跨る。個々のアイコンに関する情報は個々のアイコンに割り当てられたＩＤなどの識別記号である。
【００３４】
一方、操作者が表示部３の目的とするアイコンに相当するタッチパネル２上の特定の場所に指やペンなどで触れることによって、その場所の押圧、電気抵抗、電気容量、弾性波のエネルギーなどが変化する。それら変化量をセンサーが検知しその信号が制御部２１に送られる。制御部２１は、検知信号によってタッチ位置を検出すると記憶部２２にあるアイコンの位置情報データ２６と比較し、そのタッチ位置がいずれのアイコンの面積内にあるかを判定する。その結果、タッチ位置が特定のアイコン、例えば楽曲再生ボタン９の面積内にあれば、楽曲再生ボタン９が指先等で接触されていると判断する。そして制御部２１は、記憶部２２にある該当アイコンの機能情報データ２７を読み取り、表示部３をこの機能情報に応じて制御する。本実施形態においては、楽曲再生ボタン９が指で接触されることで、制御部２１は、楽曲再生ボタン９についての機能情報を記憶部２２から読み取り、表示部３に楽曲再生ボタン９に相当する第１拡大アイコン１２を表示する指示を出す。
【００３５】
さらに、第１拡大アイコン１２が上下に移動した場合、図５に示すように、制御部２１は、最初の特定位置（例えばＡ点のxｎ,yｎ）から移動後の別の上下方向位置(例えばＢ点のxｎ,yｎ+1又はxｎ,yｎ-1)に第１拡大アイコン１２が移動したことを認識して、表示部３が曲名選択用のポップアップメニュー(詳細は後述)を表示したりする指示を出す。
【００３６】
さらに、第１拡大アイコン１２が左右に移動した場合,同じく図７に示すように、制御部２１は、最初の特定位置（例えばＡ点のxｎ,yｎ）から移動後の別の左右位置(例えばＣ点のxｎ+1,yn)に移動したことを認識して、早送り、早戻しの機能を実行したり、記憶部２２にあるポップアップメニュー内で選択された楽曲を選択し、当該楽曲が流れるように楽曲再生回路２３に指示を出したりする。楽曲再生回路２３には選択曲に関する曲内容を記憶するデバイス（ＣＤやＲＡＭメモリーその他）やその曲内容をＤＡ変換し、変換された電気信号を増幅して音として発する処理回路やスピーカなどが含まれている。
【００３７】
図６（Ａ）（Ｂ）（Ｃ）は、第１実施形態における楽曲操作内容の例を説明した図である。図６（Ａ）は図３（Ｂ）と同一画面で、この状態において、操作者が第１拡大アイコン１２をタッチなどによってつかみ右方向にずらす（ドラッグする）と図６（Ｂ）に示す状態となる。すると制御部２１はこの動作を検知し（第１拡大アイコン１２の位置が右方向にずれたことを検知し）再生している曲内での早送りが指示されたと判断する。この判断の結果、制御部２１は楽曲再生回路２３による楽曲再生の位置を早送りし、その後再生する制御を行う。
【００３８】
一方、図６（Ａ）の状態で図６（Ｂ）の状態から操作者が第１拡大アイコン１２をタッチしてドラッグするなどによって左方向にずらすと図６（Ｃ）に示す状態となる。すると制御部２１は、この動作を検知し、再生している曲の早戻し（巻き戻し）が指示されたと判断する。この結果、制御部２１は楽曲再生回路２３による楽曲再生位置を早戻しし、その位置から再生する制御をおこなう。
【００３９】
なお、早送りや早戻しの速度は、第１拡大アイコン１２の左右への移動量に対応した早送り速度や早戻し速度としてもよいが、一定または所定の段階に分けられた速度としてもよい。また、第１拡大アイコン１２を左右へ移動させたとき、曲内の移動を明示するバー表示などを併せておこなうようにしてもよい。また当該曲の先頭や最後尾に達したときには、曲内移動のみにとどめて早送り／早戻しの動作を止めて再生を開始するか、次の曲に跨って早送り／早戻し処理を継続するかのいずれかとしてもよい。さらにそれらの選択を予め設定したり、操作者の選択にまかせるようにしたりしてもよい。
【００４０】
図７（Ａ）（Ｂ）（Ｃ）は、第１実施形態における楽曲再生の操作内容の他の例を説明した図である。図７（Ａ）は図３（Ｂ）と同一画面で、この状態において、操作者が第１拡大アイコン１２をタッチなどによってつかみ上方向にずらすと図７（Ｂ）に示す状態となる。すると制御部２１はこの動作を検知し（第１拡大アイコン１２の位置が上方向にずれたことを検知し）記憶部２２の所定のホルダー内の曲の移動が指示されたと判断する。この判断の結果、制御部２１は楽曲再生回路２３による楽曲対象曲を他の曲であって所定のホルダー内の上方にある曲とする。
【００４１】
一方、図７（Ａ）の状態で図７（Ｂ）の状態から操作者が第１拡大アイコン１２をタッチしてドラッグするなどによって下方向にずらすと図７（Ｃ）に示す状態となる。すると制御部２１は、この動作を検知し、他の曲への移動が指示されたと判断する。この結果、制御部２１は楽曲再生回路２３による楽曲再生の対象曲を他の曲であって所定のホルダー内の下方にある曲とする。
【００４２】
なお、曲移動に際しては、後述するように、曲名の一覧表示をポップアップさせて曲名を表示しサーチし易くそのポップアップメニュー内で曲名をタッチして選曲させたりしてもよい。また、所定ホルダー内や一覧表示内の先頭曲または最後尾曲に達したときは、次のホルダーに移動させたり、その先頭曲または最後尾曲に到達した時点で移動を停止させたり、所定ホルダー内か一覧表示内でエンドレス（例えば、先頭曲に到達したら最後尾曲に移動して処理を続ける、又は最後尾曲に到達したら先頭曲に移動して処理を続ける）にしたりしてもよい。これらのいずれにするかを予め設定したり、都度操作者が選択するようにしたりしてもよい。
【００４３】
図８（Ａ）から（Ｄ）は第１実施形態における楽曲再生の他の操作内容を説明した図である。まず、操作者が、楽曲再生ボタン９を指先等で触れながら、上方向または下方向に移動すると、制御部２１は、その移動を検知して、図８（Ａ）に示されるように、第１拡大アイコン１２とともに表示部３の主画面７内に現在指定されている曲名を含むいくつかの曲名が第１ポップアップメニュー３１として表示する。この中で現在選択される曲名は、他の曲名と異なる色で第１拡大アイコン１２の先端部の右側に表示される。表示の仕方は、音楽のジャンルや演奏者ごとにリストを設けかつそのホルダーを決めて、その中での曲名が指定されるようにしてもよい。なお、第１拡大アイコン１２を移動させるのではなく、楽曲再生ボタン９と第１拡大アイコン１２のいずれか一方を上下または左右に移動させると、第１ポップアップメニュー３１が表示されるようにしてもよい。
【００４４】
現在の曲名から別の曲名に移動したい場合、指先等で楽曲再生ボタン９または第１拡大アイコン１２を上方向または下方向にドラッグすると、制御部２１は、曲名選択動作と判断し、第１ポップアップメニュー３１内の曲名一覧が同時に上方向または下方向に移動させる。この時、制御部２１は、上方向に移動していると判断した場合は、移動線１４−２の上側の線を点滅させ、下方向に移動している場合は、移動線１４−２の下側の線が点滅することで移動方向が操作者に解り易くさせる。聞きたい曲名が見つかると、操作者はその曲名が中央の第１拡大アイコン１２の先端部の右側にきたところで、指先等を楽曲再生ボタン９または第１拡大アイコン１２から離す。指先等を楽曲再生ボタン９または第１拡大アイコン１２から離すと、制御部２１は、選曲された曲名の色を変化させて、選曲されたことを操作者に明示する。指先等が楽曲再生ボタン９または第１拡大アイコン１２から離れてから所定の短い時間がたつと自動的に第１ポップアップメニュー３１は消失する。しかし、制御部２１は、楽曲名コラム１３に、新たに選択された楽曲名を表示し続ける。
【００４５】
ここで、第１ポップアップメニュー３１内の曲名一覧が上下に移動する代わりに、曲名一覧は固定されて第１拡大アイコン１２自身が上下移動に伴って第１ポップアップメニュー３１の上下方向に沿って移動するようにしてもよい。この場合、制御部２１は、移動した第１拡大アイコン１２の先端の右側の曲名が選択されたと判断し、曲名としてその文字の色を変化させる。
【００４６】
次に、制御部２１は、楽曲再生ボタン９または第１拡大アイコン１２を指先等で触れながら、右に移動させると、図８（Ｂ）示されるように、選曲された曲内の現在位置を示す第１ゲージ３２を主画面７に表示するよう制御する。そして、操作者が右に移動されたままの位置で楽曲再生ボタン９または第１拡大アイコン１２から一定の短い時間内で指先等を離すと、制御部２１は、音楽をスピーカから流すよう制御する。制御部２１は、同時に第１ゲージ３２に沿って、曲の進行を示す第１ゲージ３２の色とは異なる色を持つ現在位置直線３３を表示させ、楽曲の進行とともに、楽曲の現在位置が確認できるようにする。あるいは、制御部２１は、現在位置直線３３の代わりに、第１拡大アイコン１２自体を第１ゲージ３２に沿って移動させることで、楽曲の進行における現在位置を確認させるようにしてもよい。
【００４７】
さらに、操作者が楽曲再生ボタン９または第１拡大アイコン１２を右に移動したままの位置で一定時間以上指先等で押し続けると、制御部２１は、曲内での早送りと判断し楽曲を前に早送りさせる。早送り中は、制御部２１は、スピーカから流れる音楽を停止し、第１ゲージ３２上で、色の異なる楽曲の現在位置直線３３を、早送りに沿って移動させる。そして、操作者が楽曲再生ボタン９または第１拡大アイコン１２から指先等を離すと、制御部２１は、現在位置直線３３の移動を停止させ、そこでの位置における楽曲を再びスピーカから流す。ここで、早送りをどれだけ行ったかを示すために、早送りする前の原点と早送り後の現在点との間について、それまでの移動した現在位置直線３３の色とは異なる色で現在位置直線３３を表示してもよい。また、前述したのと同様に、現在位置直線３３が移動するかわりに、第１拡大アイコン１２が第１ゲージ３２上を移動するようにしてもよい。
【００４８】
また、操作者が、音楽を聴いている途中で、早戻ししてもう一度同じ楽曲を聴きたい場合は、再度楽曲再生ボタン９または第１拡大アイコン１２に指先等で触れ、指先等でこの楽曲再生ボタン９または第１拡大アイコン１２を左に移動する。この左への移動によって、制御部２１は、スピーカから流れる音楽を停止し、第１ゲージ３２上の楽曲の現在位置直線３３を、早戻しして左に移動させる。または、第１拡大アイコン１２自身を第１ゲージ３２上で左に移動させる。
【００４９】
楽曲の途中で楽曲を停止したい場合は、楽曲演奏停止ボタン１０を指などで触れる。指などで触れることで、制御部２１は、再生停止を判断し、主画面７から第１拡大アイコン１２などを消失させ、もとのナビゲーションの地図画面に戻す。あるいは、音楽を聴きたいが、第１拡拡大アイコン１２を消したければ、一定の短時間に楽曲演奏停止ボタン１０を指などで触れると制御部３３により第１拡大アイコン１２を消失させ、楽曲を停止したい場合は、一定の短時間以上楽曲演奏停止ボタン１０を指などで触れると、制御部３３により楽曲を停止させるようにしてもよい。
【００５０】
１つの楽曲が終わった場合、即ち、現在位置直線３３が第１ゲージ３２の右端に来た場合、制御部２１は、図４（Ｃ）に示すように、自動的に“次の曲に進むか”または、“再度この曲を最初から演奏するか”の表示を行う第２ポップアップメニュー３４を表示する。この場合、操作者は、この表示を見ながら、指先等を楽曲再生ボタン９に触れてこれを上下に移動すると第１拡大アイコン１２も同時に移動する。または、操作者は、第１拡大アイコン１２を直接上下に移動させる。そして、操作者は、第１拡大アイコン１２の先端が上記２つのいずれかの選択枠を指示することを確認し、指先等を楽曲再生ボタン９または第１拡大アイコン１２から離す。指先等が楽曲再生ボタン９または第１拡大アイコン１２から離れることで、制御部２１は、上記２つのいずれかが選択されたと判断し、同時に上記第２ポップアップメニュー３４の表示を消失させ次の楽曲かまたは再度同じ楽曲をスピーカから自動的に流す。ここで、現在位置直線３３のかわりに、第１拡大アイコン１２自体が移動する場合は、１つの楽曲が終わると、第１拡大アイコン１２が第１ゲージ３２の右端に来ることで上記と同様のステップがおこなわれる。指先等が楽曲再生ボタン９または第１拡大アイコン１２から離れると、楽曲再生ボタン９または第１拡大アイコン１２は元の位置に戻る。
【００５１】
操作者が早送り速度を変更したい場合は、早送りボタン１１を指先等で触れる。早送りボタン１１を指先等で触れると、制御部２１は、図８（Ｄ）に示すように、第２拡大アイコン３５と速度表示ゲージ３６を主画面７内に表示させる。速度表示ゲージ３６の左端は最小速度であり、右端は最大速度である。また早送りボタン１１または第２拡大アイコン３５を一定時間以上指先等で触れると、制御部２１は、速度表示ゲージ３６の色とは異なる色で現在速度表示直線３７を速度表示ゲージ３６に沿って主画面７に表示させる。従って、操作者は、現在速度表示直線３７の位置を見ながら、指先等で早送りボタン１１または第２拡大アイコン３５の移動量を調節することで、楽曲の移動する速度を可変に自由に選択できる。
【００５２】
第１拡大アイコン１２を回転させることによって、早戻しや、曲選択をおこなえるようにしてもよい。図９（Ａ）（Ｂ）は、アイコンの回転の例である。この場合、第１次拡大アイコン１２と類似の第１拡大アイコン１２’を使用する。この第１拡大アイコン１２’には回転可能を示す丸印４１がついている。図３（Ａ）に相当する状態において、操作者が、音楽を聴いている途中で、早戻ししてもう一度同じ楽曲を聴きたい場合は、第１拡大アイコン１２’に指先等で触れ、指先等で第１拡大アイコン１２’を１８０度回転させる。第１拡大アイコン１２’が１８０度回転すると、制御部２１は、スピーカから流れる音楽を停止させると同時に、第１ゲージ３２を第１拡大アイコン１２’の左方に表示させる。第１ゲージ３２の表示としては、第１ゲージ３２上の楽曲の現在位置直線３３の先端矢印が図８（Ｂ）とは逆方向となり、現在位置直線３３’を左に移動する。または、第１拡大アイコン１２’自身が第１ゲージ３２上を左に移動させるようにしてもよい。第１拡大アイコン１２’が１８０度回転することで演奏している曲の先頭にジャンプしてもよい。なお、第１ゲージ３２を表示しないようにしてもよい。
【００５３】
また、図９において、現在の曲名から別の曲名に移動したい場合、指先等で第１拡大アイコン１２’を上方向または下方向に９０度回転させることで図７（Ａ）（Ｂ）の制御をするようにしてもよい。なお、図９（Ｂ）の実施例では、第１ポップアップメニュー３１を同時に立ち上げているが、立ち上げないようにしてもよい。図９（Ｂ）の状態で第１拡大アイコン１２’を上方向または下方向に移動させると、第１ポップアップメニュー３１内の曲名一覧が同時に上方向または下方向に移動する。聞きたい曲名が見つかると、操作者はその曲名が第１拡大アイコン１２’の先端部の左側にきたところで、またはその他の選択をしたところで、指先等を第１拡大アイコン１２’から離す。指先等を第１拡大アイコン１２’から離すと、制御部２１はそれを認識して選曲された曲名の色を変化させ、選曲されたことを操作者に明示する。指先等が第１拡大アイコン１２’から離れてから所定の短い時間がたつと第１ポップアップメニュー３１を消失させ第１拡大アイコン１２’をもとの図３（Ｂ）のような表示とする。しかし、楽曲名コラム１３には、新たに選択された楽曲名を表示し続ける。
【００５４】
ここで、第１ポップアップメニュー３１内の曲名一覧が上方に移動する代わりに、曲名一覧は固定され、９０度回転した第１拡大アイコン１２’自身が第１拡大アイコン１２の上方移動に伴って第１ポップアップメニュー３１の上方向に沿って移動するようにしてもよい。この場合は、移動した第１拡大アイコン１２’の先端の左側の曲名が選択された曲名としてその文字の色が変化する。
【００５５】
図３（Ｂ）の状態の第１拡大アイコン１２’を反時計方向に回転させ図９（Ｂ）の状態とすると第１拡大アイコン１２’は上方向への移動のみが可能となる。一方、図３（Ｂ）の状態の第１拡大アイコン１２’を時計方向に回転させ、図９（Ｂ）とは１８０度異なる方向とすると、第１拡大アイコン１２’は下方向への移動のみが可能となる。しかし、図９（Ｂ）の状態となると制御部２１が曲間移動を判断し、図９（Ｂ）の状態から第１拡大アイコン１２’を下方に移動させることで所定のホルダー内の下方にある曲を選択できるようにしてもよい。
【００５６】
次に、図１０から図１２を参照しながら、第１実施形態の制御部２１の働きについて説明する。
【００５７】
図１０は、第１拡大アイコン１２へ指等が接触してから、楽曲が選択されるまでのフローチャートである。まず、電源がオンになると制御部２１は一定の処理をおこなって表示装置１を動作可能状態にする（ステップＳ１００）。次に、タッチパネル２に指先等の接触があると制御部２１は、センサーからの検知信号によってタッチ位置を検出すると記憶部２２にあるアイコンの位置情報と比較し、そのタッチ位置が第１拡大アイコン１２のアイコンの面積内にあるかを判定する（ステップＳ１０１）。その結果、タッチ位置が楽曲再生ボタン９の面積内にあれば、制御部２１は、第１拡大アイコン１２についての機能情報を記憶部２２から読み取り、表示部３に第１拡大アイコン１２を表示する指示を出し、表示部３は図３（Ｂ）のような表示をおこなう（ステップＳ１０２）。タッチ位置が楽曲再生ボタン９の面積内になければ、第１拡大アイコン１２は表示されず図３（Ａ）のままである。
【００５８】
なお、以下の手順は、図８に示す表示例について説明する。また以下の手順では、第１拡大アイコン１２が操作される例を示すが、楽曲再生ボタン９が操作される場合も同様の処理となる。
【００５９】
第１拡大アイコン１２が上下に移動した場合、制御部２１は、第１拡大アイコン１２が最初の特定位置（例えばxｎ, yｎ）から移動後の別の上下方向位置（例えばxｎ, yｎ+1又はxｎ,yｎ-1）に移動したことを認識する（ステップＳ１０３）。そして、表示部３へ曲名選択用の第１ポップアップメニュー３１を表示するよう制御し、表示部３は図８（Ａ）のような表示をおこなう（ステップＳ１０４）。第１拡大アイコン１２が上下に移動されずかつ指先等がアイコンに触れた状態であれば、第１ポップアップメニュー３１は表示されず図３（Ｂ）のままである。
【００６０】
次に、制御部２１は、指先等が第１拡大アイコン１２を上方向または下方向に移動して押されたまま時間Ｔ１経過するか否か判断する（ステップＳ１０５）。一定時間Ｔ１以上押し続けると、第１ポップアップメニュー３１内の曲名一覧が同時に上方向または下方向に移動を開始する（ステップＳ１０６）。一定時間Ｔ１以内で、第１拡大アイコン１２から指先等が離れれば、移動は開始せず第１ポップアップメニュー３１は停止したままである。制御部２１は、時間Ｔ１を操作者の指示あるいはプログラムにより可変にしてよい。
【００６１】
次に、操作者が指先等を第１拡大アイコン１２から離すと、制御部２１はそれを検知する（ステップＳ１０７）。指先等が第１拡大アイコン１２から離れてから所定の短い時間がたつと、制御部２１は、表示部３にある第１ポップアップメニュー３１を消失するよう制御し、第１拡大アイコン１２を元の位置（xｎ, yｎ）に戻すよう制御する（ステップＳ１０８）。
【００６２】
さらに、図１１は、選択された楽曲が再生されたり、早送りされたりする過程を示すフローチャートである。
【００６３】
まず、第１拡大アイコン１２が左右に移動した場合、制御部２１は、第１拡大アイコン１２が最初の特定位置（例えばxｎ, yｎ）から移動後の別の左右方向位置（例えばxｎ+1, yｎ又はxｎ-1,yｎ）に移動したことを認識する（ステップＳ１０９）。そして、表示部３へ選曲された曲内の現在位置を示す第１ゲージ３２を表示するよう制御し、表示部３は図４（Ｂ）のような表示をおこなう（ステップＳ１１０）。移動がない場合は、図３（Ｂ）の表示のままである。
【００６４】
次に、制御部２１は、指先等が第１拡大アイコン１２を右方向または左方向に移動して押されたまま一定時間Ｔ２経過するか否か判断する（ステップＳ１１１）。操作者が、右に移動されたままの位置で第１拡大アイコン１２から時間Ｔ２内で指先等を離すと、制御部２１は、それを検知する。そして、制御部２１は、楽曲再生回路に楽曲再生を指示し、楽曲がスピーカから流れる（ステップＳ１１２）。同時に第１ゲージ３２に沿って、曲の進行を示す第１ゲージ３２の色とは異なる色を持つ現在位置直線３３が現れる様表示部３を制御する（ステップＳ１１３）。これにより、楽曲の進行とともに楽曲の現在位置が確認できる。さらに第１拡大アイコン１２が、元の位置（xｎ, yｎ）に戻る様制御する（ステップＳ１１４）。ここで制御部２１は、時間Ｔ２を操作者の指示あるいはプログラムにより可変にしてよい。
【００６５】
一方、操作者が右に移動されたままの位置で時間Ｔ２を超えて第１拡大アイコン１２を指先等で押し続けると、制御部２１は、楽曲再生回路２３へ楽曲を前に早送りするよう指示する（ステップＳ１１５）。早送り中は、制御部２１は楽曲再生回路２３へスピーカから流れる音楽を停止するよう指示し、また表示部３上の第１ゲージ３２上で、色の異なる楽曲の現在位置直線３３を早送りで移動するよう制御する（ステップＳ１１６）。
【００６６】
次に、操作者が指先等を第１拡大アイコン１２から離すと、制御部２１はそれを検知する（ステップＳ１１７）。制御部２１は現在位置直線３３の移動を止めるよう制御し、かつそこでの位置における楽曲が再びスピーカから流れるよう楽曲再生回路２３に指示を出す（ステップＳ１１８）。また、第１拡大アイコン１２が元の位置（xｎ, yｎ）に戻る様制御する（ステップＳ１１９）。指先等を離さなければ、ステップＳ１１１にもどる。
【００６７】
また、操作者が、音楽を聴いている途中で、早戻ししてもう一度同じ楽曲を聴きたい場合は、指先等でこの第１拡大アイコン１２を左に移動することで制御部２１がそれを検知する。この場合の以降のステップは、上記ステップＳ１０９からステップＳ１１９と同じである。
【００６８】
さらに、図１２は、制御部２１が１つの楽曲演奏の終了時を判断した後の働きを示すフローチャートである。
【００６９】
図１２において、ステップＳ１２０では１つの曲が終わったか否かを制御部２１は監視している。１つの楽曲が終わった場合、即ち、現在位置直線３３が第１ゲージ３２の右端に来た場合、制御部２１は、曲の終了を認識する。そして、図８（Ｃ）に示すように、自動的に“次の曲に進むか”または、“再度この曲を最初から開始するか”の第２ポップアップメニュー３４を表示部３に表示するよう制御する（ステップＳ１２１）。
【００７０】
次に、制御部２１は、ステップＳ１２１から時間Ｔ３以内に操作者が指先等を第１拡大アイコン１２に触れるかどうか判断する（ステップＳ１２２）。時間Ｔ３以内に第１拡大アイコン１２に指先等などが触られていないと判断した場合、制御部２１は、自動的に第２ポップアップメニュー３４を消失するよう制御し（ステップＳ１２３）、かつ次の曲が流れるよう楽曲再生回路２３に指示を出す（ステップＳ１２４）。あるいは、次の曲でなくエンドレスで再度この曲を最初から開始するようにしてもよい。
【００７１】
もしステップＳ１２１から時間Ｔ３内で、操作者が指先等を第１拡大アイコン１２に触れた場合、かつこれを上下に移動しかた否かを制御部３１は判定する（ステップＳ１２５）。第１拡大アイコン１２が上記の“次の曲に進むか”または、“再度この曲を最初から開始するか”のいずれかの選択枠に入ることを確認すると、制御部２１は、第２ポップアップメニュー３４を消失するように制御し（ステップＳ１２６）、次の楽曲かまたは再度同じ楽曲がスピーカから自動的に流れるよう楽曲再生回路２３に指示を出す（ステップＳ１２７）。このステップＳ１２６、Ｓ１２７と同時または前後して第１拡大アイコン１２は元に戻る（スッテプＳ１２８）。
【００７２】
（第２実施形態）
次に、図１３および図１４を参照しながら、第２実施形態について説明する。第２実施形態は、ナビゲーションのスクロール機能に関する例である。なお、以降で示す制御は、制御部２１に相当するナビゲーション制御部が実行する。
【００７３】
図１３（Ａ）において、スライドアイコン８１に指先等で触れると、拡大スライドアイコン８２が、地図が表示されている主画面７上に表示される。これは、第１実施形態の図３（Ｂ）に示されたのと同じである。一方、ナビゲーション画面上には、ランドマーク、駐車場、レストラン、ガソリンスタンドなどの地図アイコンが表示されている。ここでは、駐車場アイコン８３を例にして説明する。
【００７４】
次に、駐車場アイコン８３を拡大アイコン８２へ指先等でドラッグアンドドロップすると、図１３（Ｂ）に示すように拡大スライドアイコン８２の代わりに拡大駐車場アイコン８４および駐車場情報が記載された第１駐車場情報８５が表示される。図１３（Ｂ）中の矢印は、ドラッグアンドドロップの動作を意味し、画面中に現われるものではない。この第１駐車場情報８５には、ナビゲーション画面に表示されている全ての駐車場の場所が一覧表で表示されている。この一覧表中で、車の現在位置から一番近い位置の駐車場が拡大駐車場アイコン８４の右側中央に配置されている。ここに配置された駐車場の表示の色は他の駐車場の色とは異っている。またその一覧表の上半分は、ナビゲーション画面の上半分側で近い位置順で下から上へと配列されており、その下半分は、ナビナビゲーション画面の下半分側で近い位置順で上から下へと配列されている。ここで、駐車場アイコン８３を拡大アイコン８２へ指先等でドラッグアンドドロップした際、自動的にスライドアイコン８１のマークが駐車場アイコン８３のマークに変化するようにしてもよい。
【００７５】
次に、拡大駐車場アイコン８４を上下に指先等で移動させるとポップアップメニュー８５の位置欄の表示が上側または下側にスクロールし、次々と新たな駐車場の表示が出てくる。操作者はこれらの中から適切な駐車場を選択できる。
【００７６】
さらに、適切な駐車場を選択した後、拡大駐車場アイコン８４を右に移動させると、拡大駐車場アイコン８４の右側中央に配置されている駐車場Ａに関する詳細情報が表示された第２駐車場情報８６が表示される。この情報としては、例えば、駐車料金、現在スーペースが何台あるか、大型は駐車できるか、現在位置からどれくらいの距離かなどの情報が表示される。
【００７７】
次に、操作者が、指先などを拡大駐車場アイコン８４から離すと、または離した後、再度拡大駐車場アイコン８４に触れると、拡大駐車場アイコン８４や第２駐車場情報８６は自動的に消え、ナビナビゲーション画面にもどる。ただし、選択された駐車場ＡのＰマークは、他の駐車場のＰマークとは色や大きさ、形が異なって地図上に表示されている。従って、操作者は、このＰマークを見ながら、運転し目的地に達することができる。あるいは、自動的にそのＰマークを目的地設定にして、案内表示に従って運転し目的地に達するようにしてもよい。
【００７８】
さらに、図１４（Ａ）に示されるように、操作者がジャンプスライドアイコン８７に指などで触れると、拡大ジャンプスライドアイコン８８および地図アイコン一覧表８９が表示されるようにしてもよい。地図アイコン一覧表８９には、駐車場Ｐの他、ガソリンスタンドＧ、ランドマークＬ、レストランＲ、公共施設Ｐその他さまざまな地図アイコンが示されている。拡大ジャンプスライドアイコン８８の先端の左側にある地図アイコンは他の地図アイコンにくらべサイズを大きくするか目立ちやすい色にする。
【００７９】
次に、拡大ジャンプスライドアイコン８８を上下に指先等で移動させると、地図アイコン一覧表８９内の地図アイコンが上下にスライドし、操作者は適切な地図アイコンを選択できる。選択された地図アイコンは、拡大ジャンプスライドアイコン８８の先端の左側に位置する。
【００８０】
次に、図１４（Ｂ） に示されるように、例えばレストランＲを選択し、拡大ジャンプスライドアイコン８７を指先等で左側に移動させると、拡大ジャンプスライドアイコン８８は拡大レストランアイコン９０に変化し、その左側にナビゲーション画面に表示されている全てのレストランの名前、種類、場所等が示されたレストラン情報９１が表示される。この表示の順番は、現在地から一番近いものを拡大レストランアイコン９０のすぐ左側中央とするか、あるいは、レストランの種類順とするかいずれかで表示する。
【００８１】
以降は、上述した拡大駐車場アイコン８４の場合と同様にして、拡大レストランアイコン９０を利用して適切なレストランを選択しナビゲーション画面上に表示する。
【００８２】
上述の地図アイコンなどの操作や地図アイコンについての関連情報の表示は、図４に示した回路構成によって実現される。ただし、同図の楽曲再生回路２３は除かれる。また、記憶部には、地図アイコンに関連した詳細データが記憶されている。例えば、地図アイコンが駐車場アイコンであれば、駐車場に関する位置および詳細機能データ、地図アイコンがレストランアイコンであれば、レストランに関する位置および詳細機能データなどである。
【００８３】
（第３実施形態）
さらに、本発明を、Bluetoothなどを用いた車内における携帯電話のハンズフリー発呼操作に応用した実施形態について図１５とともに説明する。
【００８４】
図１５（Ａ）において、車内にあるスイッチなどでBluetoothをオンにすると携帯電話の表示部に電話アイコン９２が現れる。さらにスライドアイコン８１に指先等で触れると、拡大スライドアイコン８２が表示される。または、もともとグレイアウトで表示されていた携帯電話アイコン９２に指先等で接触すると、Bluetoothがオンになるようにしてもよい。
【００８５】
次に、電話アイコン９２を拡大スライドアイコン８２へドラッグアンドドロップすると、図１５（Ｂ）に示すように拡大スライドアイコン７２の代わりに拡大電話アイコン９３および項目選択メニュー９４が携帯電話の表示部に表示される。なお図１５（Ｂ）の矢印は、ドラッグアンドドロップの動作を意味し、画面中に現われるものではない。項目選択メニュー９４には、発信履歴、着信履歴、電話帳、Bluetooth設定メニューなどの項目が表示されている。また、これらのうち、現在選択されている項目は、その文字の色または形が他の項目とは異なっている。図１５（Ｂ）では、発信履歴が選択されている。
【００８６】
次に、指先等で拡大電話アイコン９３を上下に移動させると項目選択メニュー９４内の項目が上下に移動し、発信履歴以外の項目が選択される。発着信履歴の項目には、電話番号と相手先の名称が記載されている。
【００８７】
さらに、図１５（Ｃ）に示されるように指先等で拡大電話アイコン９３を、左に移動させ、選択された項目についての詳細情報９５が項目選択メニュー９４に代わって表示される。例えば、発信履歴が選択されれば、詳細情報９５にのっている相手先の名称や電話が新しい順に表示される。
【００８８】
さらに、拡大電話アイコン９３を指先等で左に移動させ一定時間押したままでいると、詳細情報９５内の発信履歴の各項目が自動的に上方向または下方向にスライドする。現在選択されている相手先とその電話番号は、一覧表のトップに位置し、その文字の大きさや色は、他の相手先とその電話番号の大きさ色とは異なっている。そして、これらの一覧項目で操作者が電話をかけたい相手が見つかると、操作者は拡大電話アイコン９３から指先等を離す。離すと同時に発呼が行われ拡大電話アイコン９３の色が変化する。
【００８９】
操作者が電話による会話を終了したい場合は、停止アイコン８８に指先等を触れる。または拡大電話アイコン９３に再度触れる。そうすると、拡大電話アイコン９３の色が元に戻り電話が終了したことを明示する。さらに、停止アイコン８８に指先等を一定時間以上触れたままでいると、Bluetooth がオフになり携帯電話との接続が切れる。同時に拡大電話アイコン８６はグレイアウトとなりオフ状態が明示される。
【００９０】
拡大電話アイコン９３を回転することによって、携帯電話とBluetoothの接続状況を明示するようにしてもよい。例えば、図１５（Ｄ）に示すように停止アイコン８８に指先等を触れると、または拡大電話アイコン９３に接触した状態で指先等を９０度回転させると、拡大電話アイコン９３は９０度回転し電話アイコン９３−１のように横になり、電話が終了していることが明示されるようにしてもよい。さらに停止アイコン８５または拡大電話アイコン９３に指先等を一定時間以上触れたままでいると、拡大電話アイコン８６は１８０度回転し、電話アイコン９３−２のよう上下逆さまとなり、Bluetoothがオフになり携帯電話との接続が切れたことが明示されるようにしてもよい。なお、回転した際の９０度回転検知、１８０度回転検知は、例えば６０〜１２０度の回転で前者の検知を、１３５〜２２５度の回転で後者の検知を行うなど所定の範囲の回転でその内容を検知するようにしてもよい。これらの拡大電話アイコンをナビゲーション画面から消失したければ、電話アイコン９２またはそれらの拡大電話アイコン９３、９３−１、９３−２に指先等を接触したあと一定時間内に停止アイコン８８に指先等を接触するようにしてもよい。
【００９１】
上述した電話アイコンなどの操作や電話アイコンについての関連情報の表示は、図４に示した回路構成によって実現される。ただし、同図の楽曲再生回路２３は除かれる。また、記憶部２２には、発着信履歴、電話帳、Bluetoothの設定メニューなどの詳細情報が記憶されている。
【００９２】
本発明は、上述の実施形態に限定されるものではなく、いくつかの応用例が考えられる。例えば、楽曲再生ボタン９などにタッチすることによってアイコンが拡大表示されるようにしたが、視認性などの面で問題がなければ、かならずしも副画面８中のボタンやその他のアイコンを拡大する必要はない。ただし、追加機能が実行できることの追加表示は、実行されるようにしたほうがよい。
【００９３】
また、図１６に示すように、本発明は、プロジェクタ１００を用いた電子黒板１０１にも適用可能である。この場合は、レーザポインタ１０３などでアイコン１０４に照準をあてると、プロジェクタ１００に組み込まれたレーザ波長センサーによって、アイコン１０４の位置が検知される。プロジェクタ１００に組み込まれた制御部は、その検知を認識すると、ロジェクタ１００に組み込まれた表示部または、電子黒板１０１に所定のアイコンが拡大された拡大アイコン１０５を表示するよう制御する。または拡大アイコン１０５とともにアイコン機能が追加された内容が表示されるよう制御してもよい。従って、操作者は、レーザポインタ１０３を用いて拡大アイコンまたはアイコンを操作することにより、上記実施形態で説明した内容が適用可能となる。本発明を電子黒板に応用すれば、多くの聴衆がいる大きな部屋でのプレゼンテーションにおいて、聴衆は、アイコンの認識が容易であり、プレゼンテーションの内容が理解しやすくなる。
【００９４】
また、上述の説明では、表示部に表示するコンテンツを楽曲、地図、携帯電話として説明したが、再生するコンテンツや表示するコンテンツとしては、プロモーションビデオ、映画、テレビ放送、ラジオ放送、など他のものとしてもよい。また、各実施の形態では、通常の操作部に対応する部分が、表示部３の一部となる副画面８に対応し、その副画面８に各種のボタンを表すアイコン（表示画面にオブジェクトとして表示されるボタン（＝画像で形成されるボタン））が表示されるものとなっている。しかし、各ボタン９，１０，１１ａ、１１ｂや各アイコン８１，８７，８８は、表示画面にオブジェクトとして表示されるボタンやアイコン（＝画像で形成されるボタンやアイコン）ではなく、操作部に配置される押しボタン式（メカ式）のボタンやタッチ式（接触式）のボタンなど実体を有するボタンとしてもよい。
【産業上の利用可能性】
【００９５】
本発明は、アイコンを利用した全ての表示装置に適用することができる。
【図面の簡単な説明】
【００９６】
【図１】本発明の第１実施形態に係る表示装置の外観図であり、（Ａ）は当該実施形態に係る表示装置の平面図であり、（Ｂ）は（Ａ）に示すＡ−Ａ’線に沿って切断した断面図である。
【図２】図１に示す表示装置の表示部における座標軸上のアイコンを示す外観図である。
【図３】図１に示す表示装置におけるアイコンおよび拡大アイコンの表示状態を示す表示状態図である。
【図４】図１に示す表示装置における主な回路構成を示すブロック図である。
【図５】図１に示す表示装置における拡大アイコンの移動状態を示す移動概略図である。
【図６】図１に示す表示装置の主画面に表示される拡大アイコンと追加機能の表示が行われた表示状態を示す図で、（Ａ）は拡大アイコンが現れた時を示し、（Ｂ）は拡大アイコンを左に移動させた場合を示し、（Ｃ）は拡大アイコンを右に移動させた場合を示している。
【図７】図１に示す表示装置の主画面に表示される拡大アイコンと追加機能の表示が行われた表示状態を示す図で、（Ａ）は拡大アイコンが現れた時を示し、（Ｂ）は拡大アイコンを上に移動させた場合を示し、（Ｃ）は拡大アイコンを下に移動させた場合を示している。
【図８】図１に示す表示装置の主画面に表示される拡大アイコンと追加機能の表示が行われた他の表示状態を示す図で、（Ａ）から（Ｄ）は、それぞれ拡大アイコンと追加された機能の表示に加え、さらにその追加機能を操作しやすくする表示が加えられた状態図である。
【図９】図１に示す表示装置の主画面に表示される拡大アイコンと追加機能の表示が行われた他の表示状態を示す図で、（Ａ）および（Ｂ）は、拡大アイコンが回転する追加機能を利用したときの２つの例を示す表示状態図である。
【図１０】図１に示す表示装置において、拡大アイコンへ指等が接触してから楽曲が選択されるまでの制御部の働きを示すフローチャートである。
【図１１】図１に示す表示装置において、選択された楽曲が再生されたり、早送りされたりする過程での制御部の働きを示すフローチャートである。
【図１２】図１に示す表示装置において、制御部が１つの楽曲演奏の終了時を判断した後の働きを示すフローチャートである。
【図１３】本発明の第２実施形態の表示装置となるナビゲーションにおいて、地図の表示状態を示す表示状態図で、（Ａ）は主画面に拡大アイコンと地図アイコンが表示されている図で、（Ｂ）は地図アイコン中の駐車場アイコンを拡大アイコンへドラッグアンドドロップした状態を示す図で、（Ｃ）は拡大アイコンを追加機能の使用によって右側に移動させたとき新たな情報が表示される状態を示す図である。
【図１４】本発明の第２実施形態の表示装置となるナビゲーションにおいて、他のアイコンに触れたときの拡大アイコンと追加機能の表示を示す表示状態図で、（Ａ）（Ｂ）はその遷移の様子を説明している図である。
【図１５】本発明の第３実施形態の表示装置となる携帯電話において、携帯電話使用時の表示状態を示す表示状態図で、（Ａ）〜（Ｄ）はその遷移の様子を説明している図である。
【図１６】本発明をプロジェクタに応用した例を示す概略図である。
【符号の説明】
【００９７】
１  表示装置、２  タッチパネル、３  表示部、４  支持台、５  位置座標軸、６  アイコン、７  主画面（表示部の一部）、８  副画面（表示部の一部）、９  楽曲再生ボタン、１０  楽曲演奏停止ボタン、１１ａ  早送りボタン、１１ｂ  早戻しボタン、１２  第１拡大アイコン、１３  楽曲名コラム、１４−１  左右移動線、１４−２  上下移動線、２１  制御部、２２  記憶部、２３  楽曲再生回路（コンテンツ再生手段）、２６  アイコン位置情報データ、２７  アイコン機能情報データ、３１  第１ポップアップメニュー、３２  第１ゲージ、３３  現在位置直線、３４  第２ポップアップメニュー、３５  第２拡大アイコン、３６  速度表示ゲージ、３７  現在速度表示直線
【図１】
2009276833.tif 000003
【図２】
2009276833.tif 000004
【図３】
2009276833.tif 000005
【図４】
2009276833.tif 000006
【図５】
2009276833.tif 000007
【図６】
2009276833.tif 000008
【図７】
2009276833.tif 000009
【図８】
2009276833.tif 000010
【図９】
2009276833.tif 000011
【図１０】
2009276833.tif 000012
【図１１】
2009276833.tif 000013
【図１２】
2009276833.tif 000014
【図１３】
2009276833.tif 000015
【図１４】
2009276833.tif 000016
【図１５】
2009276833.tif 000017
【図１６】
2009276833.tif 000018